(57)【要約】【課題】ＧＰＳと、無線タグから位置情報を取得する携帯端末の省電力化を図る。【解決手段】定期的に位置情報を送信する無線タグ２と、前記無線タグ２から位置情報を受信する無線タグ受信手段３１と、ＧＰＳ受信手段３２と、第２の制御手段３３と、前記無線タグ２からの位置情報もしくは前記ＧＰＳ信号から算出した位置情報を元に、その位置に応じたスポット情報を外部から取得する広域通信手段３４と、表示報知手段３５とを具備した携帯端末３とから構成された電子式案内システムにおいて、ＧＰＳ信号を受信したときに前記無線タグ受信手段３１の動作を停止し、あるいは、無線タグ２からの位置情報を受信したときには前記ＧＳＰ受信手段３２の動作を停止する電子式案内システム。【選択図】図２
2010014640.tif 000002
【特許請求の範囲】
【請求項１】
第１の制御手段と、
無線タグ送信手段とを具備して、定期的に位置情報を送信する無線タグと、
前記無線タグから位置情報を受信する無線タグ受信手段と、
ＧＰＳ衛星からのＧＰＳ信号を受信するＧＰＳ受信手段と、
前記ＧＰＳ信号から位置情報を算出する第２の制御手段と、
前記無線タグからの位置情報もしくは前記ＧＰＳ信号から算出した位置情報を元に、その位置に応じたスポット情報を外部から取得する広域通信手段と、
前記スポット情報を表示あるいは報知する表示報知手段とを具備した携帯端末とから構成された電子式案内システムにおいて、
ＧＰＳ信号を受信したときに前記無線タグ受信手段の動作を停止し、あるいは、無線タグからの位置情報を受信したときには前記ＧＳＰ受信手段の動作を停止する電子式案内システム。
【請求項２】
無線タグからの情報が固有ＩＤ情報であって、広域通信手段が、前記固有ＩＤ情報に基づいてスポット情報を取得する請求項１記載の電子式案内システム。
【請求項３】
無線タグ送信手段として、小電力無線を用いる請求項１または２記載の電子式案内システム。
【請求項４】
請求項１〜３のいずれか１項に記載の無線タグにおいて、少なくともひとつの動作をコンピュータに実行させるためのプログラム。
【発明の詳細な説明】
【技術分野】
【０００１】
本発明は、ＧＰＳによる位置検知に加え、ＧＰＳ信号の届かない地下街などに設置された無線タグから位置情報を取得して、その位置に関するスポット情報を携帯端末から表示報知する電子式案内システムに関するものである。
【背景技術】
【０００２】
ユビキタス社会が実現されはじめ、携帯電話、ＰＤＡといった携帯端末にはＧＰＳ受信機が具備されるようになり、携帯端末自身の位置を検知して、地図上に表示、さらには近傍のお店情報を取得するといったことが可能となってきている。
【０００３】
また、近年では、地下街や建物の内部のようにＧＰＳ信号が受信できないような場所でも位置を知ることが出来るように、無線タグ（アクティブタグ）を照明器具、建物の天井、店舗の看板などに設置して、無線タグから一定距離（例えば１０メートル以内）に入ると、その場所に関する情報を通知して店舗案内を行ったり、駅などの公共施設において誘導を行なったりすることが提案されている。
【０００４】
携帯端末の省電力のためには、不要なときにはＧＰＳ受信機を停止させ、必要なときにだけＧＰＳ受信機を作動させることが好ましい。そのための、ＧＰＳの効果的な省電力手法が提案されている（例えば、特許文献１参照）。
【０００５】
特許文献１においては、ＧＰＳ衛星を見ることが出来る方向を判定して、全天を分割管理して衛星信号を受信可能な時間帯のみに受信状態に入って、他の時間帯は消費電力を落とすといった手法をおこなっている。
【特許文献１】特開平４−０２０８９０号公報
【発明の開示】
【発明が解決しようとする課題】
【０００６】
しかしながら、従来の手法では、ＧＰＳ受信機だけの省電力制御を行うにとどまり、他の無線受信機の省電力制御までは考慮していなかった。
【課題を解決するための手段】
【０００７】
そこで、前記の課題を解決するために、電子式案内システムにおいて、第１の制御手段と、無線タグ送信手段とを具備して、定期的に位置情報を送信する無線タグと、前記無線タグから位置情報を受信する無線タグ受信手段と、ＧＰＳ衛星からのＧＰＳ信号を受信するＧＰＳ受信手段と、前記ＧＰＳ信号から位置情報を算出する第２の制御手段と、前記無線タグからの位置情報もしくは前記ＧＰＳ信号から算出した位置情報を元に、その位置に応じたスポット情報を外部から取得する広域通信手段と、前記スポット情報を表示あるいは報知する表示報知手段とを具備した携帯端末から構成された電子式案内システムにおいて、ＧＰＳ信号を受信したときに前記無線タグ受信手段の動作を停止し、あるいは、無線タグからの位置情報を受信したときには前記ＧＳＰ受信手段の動作を停止するようにした。
【発明の効果】
【０００８】
これにより、ＧＰＳ信号が受信できるような環境においてはＧＳＰ受信機を作動させる一方で、無線タグ受信機の動作を停止させ、ＧＰＳ信号が受信できない環境においてはＧＳＰ受信機の動作を停止させる一方で、無線タグ受信機を作動させるようにするので、携帯端末の効果的な省電力が期待できる。
【発明を実施するための最良の形態】
【０００９】
第１の発明は、電子式案内システムにおいて、第１の制御手段と、無線タグ送信手段とを具備して、定期的に位置情報を送信する無線タグと、前記無線タグから位置情報を受信する無線タグ受信手段と、ＧＰＳ衛星からのＧＰＳ信号を受信するＧＰＳ受信手段と、前記ＧＰＳ信号から位置情報を算出する第２の制御手段と、前記無線タグからの位置情報もしくは前記ＧＰＳ信号から算出した位置情報を元に、その位置に応じたスポット情報を外部から取得する広域通信手段と、前記スポット情報を表示あるいは報知する表示報知手段とを具備した携帯端末から構成された電子式案内システムにおいて、ＧＰＳ信号を受信したときに前記無線タグ受信手段の動作を停止し、あるいは、無線タグからの位置情報を受信したときには前記ＧＳＰ受信手段の動作を停止するようにした。
【００１０】
これにより、ＧＰＳ信号が受信できるような環境においてはＧＳＰ受信機を作動させる一方で無線タグ受信機を停止させ、ＧＰＳ信号が受信できない環境においてはＧＳＰ受信機を停止させる一方で無線タグ受信機を作動させるように出来るので、携帯端末の効果的な省電力が期待できる。
【００１１】
第２の発明は、特に第１の発明の電子式案内システムにおいて、前記無線タグからの情報が固有ＩＤ情報であって、前記広域通信手段が、前記固有ＩＤ情報に基づいてスポット情報を取得するようにした。
【００１２】
これにより、位置情報を提供しない無線タグであっても、広域通信手段を介して、外部に存在するサーバなどから、その固有ＩＤ情報に基づいてスポット情報を取得できるようになり、より利便性が増す。
【００１３】
第３の発明は、特に第１または第２の発明の電子式案内システムにおいて、無線タグ送信手段として、小電力無線を用いるようにした。
【００１４】
これにより、安定かつ確実に無線タグの信号を携帯端末に伝達することができる。
【００１５】
第４の発明は、特に第１〜３の発明のいずれかの無線タグにおいて、少なくともひとつの動作をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１６】
以下、本発明の実施の形態について、図面を用いて一実施形態について詳細に説明する。なお、この実施の形態によって本発明が限定されるものではない。
【００１７】
（実施の形態１）
図１は本発明の実施の形態１の電子式案内システムの構成の一例を示す図である。以下、図１を用いて説明していく。
【００１８】
ＧＰＳ衛星１からはＧＳＰ信号が常時送信されており、この信号を携帯端末３が受信して、複数のＧＰＳ衛星からのＧＰＳ信号を解析することで、携帯端末３の存在する経度緯度といった位置情報を算出できる。ＧＳＰ衛星１からのＧＰＳ信号は、空が開けた場所でのみ受信可能で、建物の内部、地下道、地下鉄などのように空が見えない場所では受信することが出来ないので、このような場所では異なる方式で位置検知をする必要がある。
【００１９】
無線タグ２は、このようなＧＰＳ信号の受信できないような場所（例えば地下街、建物の中など）に設置して、上記同様に位置情報を提供するものである。無線タグ２は、電池を内蔵したアクティブタグ（無線機）であり、照明器具、建物の天井、店舗の看板、門柱、郵便ポストなど、ある決まった位置に設置あるいは配置される。
【００２０】
この無線タグ２は、一定時間周期（例えば１秒ごと）に経度緯度といった位置情報（ＧＰＳ信号から算出して得られる位置情報と同じ）、あるいは、固有ＩＤ情報を無線にて出力する。なお、無線タグ２は固定した場所に設置されるので、固有ＩＤごとに設置場所が予めわかっているので、その設置場所ごとのスポット情報を、外部のサーバなどに登録しておくことが容易に実現できる。そのため、固有ＩＤ情報さえ取得できれば、その場所のスポット情報を外部のサーバなどから取得することが出来る。
【００２１】
携帯端末３は液晶ディスプレイを具備した携帯電話あるいはＰＤＡのような小型かつ携帯可能な端末を想定しており、無線タグ２が定期的に出力する位置情報から、その場所に関するスポット情報を外部のサーバなどから受信して、その内容を液晶ディスプレイに表示して、案内対象者に表示あるいは報知するものである。
【００２２】
あるいは、無線タグ２が定期的に出力する信号が固有ＩＤ情報であった場合、その固有ＩＤ情報を基に、同様に外部のサーバなどから受信して、その内容を液晶ディスプレイに表示して、案内対象者に表示あるいは報知するものである。
【００２３】
ここで述べているスポット情報とは、例えば店舗情報であったり、バーゲン情報であったり、レストランのメニュー紹介といった商業的な情報であったり、あるいは、この先に改札口があるといった案内であったり、階段や段差があるといった危険情報である。特に、身障者の自立的な移動を支援するような案内誘導情報であっても構わない。
【００２４】
これまで述べてきたように無線タグ２は、設置場所ごとに異なる位置情報（経度緯度）を保持していることもあるし、それぞれ固有ＩＤ情報を保持していることもある。
【００２５】
このように、無線タグ２からの情報に応じて、最終的にその場所ごとの特異情報であるスポット情報を、外部のサーバなどから取得して、携帯電話やＰＤＡといった携帯端末３で表示、あるいは報知することが出来る。
【００２６】
また、このような用途に用いられる無線タグ２は、照明器具、建物の天井、店舗の看板、門柱、郵便ポストなどのある決まった位置に設置されるが、悪戯を避けるため、高所で人の手の届かない場所に設置されるのが好ましい。
【００２７】
図２は、本発明の実施の形態１の電子式案内システム装置内部の構成の一例を示す図である。以下では、これまで述べてきたことについて、内部構成を示しながら詳細に
説明していく。
【００２８】
図２に示すように、照明器具などに設置される無線タグ２（アクティブタグ）には、第１の制御手段２１が具備されており、第１の制御手段２１には位置情報、あるいは、固有ＩＤ情報が記録されており、一定時間ごと（例えば１秒ごと）に、無線タグ送信手段２２から位置情報、あるいは固有ＩＤ情報が送信されている。この位置情報、あるいは固有ＩＤ情報を携帯端末３の無線タグ受信手段３１で受信する。
【００２９】
情報が位置情報であれば、その情報を基に広域通信手段３４を介して、外部よりその位置情報に対応したスポット情報を取得して、表示報知手段３５から例えば、「目の前の＊＊＊というお店でバーゲンをやっていますよ。シャツが９８０円ですよ。」といったよう
な宣伝や、「この先、階段ですので足元に注意してください。」といった危険情報を、スポット情報として報知することが出来る。
【００３０】
情報が固有ＩＤ情報である場合も、同様に、その情報を基に広域通信手段３４を介して、外部のサーバなどからその固有ＩＤ情報に対応したスポット情報を取得する。以下同様に、表示報知手段３５から例えば、「目の前の＊＊＊というお店でバーゲンをやっていますよ。シャツが９８０円ですよ。」といったような宣伝や、「この先、階段ですので足元に注意してください。」といった危険情報を、スポット情報として報知することが出来る。
【００３１】
このように携帯端末３の無線タグ受信手段３１で、位置情報、あるいは固有ＩＤ情報を受信している期間は、ＧＰＳ衛星１からのＧＰＳ信号をＧＰＳ受信手段３２で受信する必要がないので、第２の制御手段３３よりＧＰＳ受信手段３２の機能を停止させて省電力を図ることが好ましい。
【００３２】
ＧＰＳ信号から算出できる位置情報よりも、無線タグ２から得られる位置情報（あるいは固有ＩＤ情報）の方がより精密であるため、ＧＰＳ信号とともに無線タグからの位置情報（あるいはＩＤから取得した位置情報）が得られる場合には、ＧＰＳ受信手段３２の機能を停止させ、無線タグ受信手段３１を優先して作動させることも考えられる。
【００３３】
逆にＧＰＳ信号しか受信できず、無線タグ２からの位置情報、あるいは固有ＩＤ情報が受信できないときには、第２の制御手段３３により、ＧＰＳ受信手段３３だけを作動させ、無線タグ受信手段３１の機能を停止させて、省電力を図ることが好ましい。
【００３４】
最後に、これまで述べてきた一連の動作について、図３を用いて説明する。図３は、携帯端末３の第２の制御手段３３で行っている動作のシーケンスの一例を示す図である。
【００３５】
ＧＰＳ信号の受信可能な屋外で使用されることの多い携帯端末３においては、まずＧＰＳ受信手段３２の電源をＯＮにして（ステップ５０）、ＧＰＳ受信手段３２でＧＰＳ衛星１からのＧＰＳ信号を受信できるかどうかを確認する（ステップ５１）。ステップ５１において、受信できた場合には第２の制御手段３３で（複数のＧＰＳ衛星の）ＧＰＳ信号から位置情報を算出する（ステップ５２）。その際には、無線タグ受信手段３１の電源をＯＦＦして、省電力を図る（ステップ５３）。
【００３６】
次に、ＧＰＳ信号から算出した位置情報を基に、その位置に関するスポット情報を、外部に設置されているサーバから取得して（ステップ５４）、最後に表示報知手段３５からスポット情報を表示、あるいは報知する（ステップ５５）。
【００３７】
ＧＰＳ受信手段３２でＧＰＳ衛星１からのＧＰＳ信号を受信できるかどうかを確認して（ステップ５１）、受信できなかった場合には、第２の制御手段３３で無線タグ受信手段３１の電源をＯＮする（ステップ５７）。次に、無線タグ受信手段３１で無線タグからの位置情報（もしくは、固有ＩＤ情報）を受信できるかどうかを調べて（ステップ５８）、受信できた場合には、無線タグ受信手段３１の電源はＯＮにしたまま、ＧＰＳ受信手段３３の電源だけをＯＦＦする（ステップ５９）。
【００３８】
以下同様に、無線タグ受信手段３１で取得した位置情報を基に、その位置に関するスポット情報を、外部に設置されているサーバから広域通信手段３４が取得して（ステップ５４）、最後に表示報知手段３５からスポット情報を表示、あるいは報知する（ステップ５５）。
【００３９】
無線タグ受信手段３１で無線タグからの情報が固有ＩＤ情報であった場合には、その固有ＩＤ情報に応じたスポット情報を、外部に設置されているサーバから広域通信手段３４が取得して（ステップ５４）、以下同様に、表示報知手段３５からスポット情報を表示、あるいは報知する（ステップ５５）。
【００４０】
無線タグ受信手段３１で無線タグからの位置情報（もしくは、固有ＩＤ情報）を受信できなかった場合（ステップ５８）、ＧＰＳ受信手段３３の電源をＯＮにする一方で、無線タグ受信手段３１の電源をＯＦＦする（ステップ５６）。
【産業上の利用可能性】
【００４１】
以上のように、ＧＰＳ受信手段３２と、無線タグ受信手段３１とを用いて、場所に応じてスポット情報を提供する携帯端末において、状況に応じてＧＰＳ受信手段３２と、無線タグ受信手段３１とを切り替え、一方の動作を停止させることで省電力化を図っており、特に、携帯電話やＰＨＡといったバッテリ駆動の携帯端末において要求されるバッテリ寿命の長時間化に貢献することが期待できる。
【図面の簡単な説明】
【００４２】
【図１】本発明の実施の形態１の電子式案内システムの構成の一例を示す図
【図２】本発明の実施の形態１の電子式案内システム装置内部の構成の一例を示す図
【図３】本発明の実施の形態１の無線タグ２とパラメータ設定端末３の内部構成の一例を示す図
【符号の説明】
【００４３】
１  ＧＰＳ衛星
２  無線タグ（アクティブタグ）
３  携帯端末
２１  第１の制御手段（位置情報、もしくは、固有のＩＤ）
２２  無線タグ送信手段
３２  ＧＰＳ受信手段
３３  第２の制御手段
３４  広域通信手段
３５  表示報知手段
【図１】
2010014640.tif 000003
【図２】
2010014640.tif 000004
【図３】
2010014640.tif 000005